(57)【特許請求の範囲】
【請求項１】
エアゾール容器の容器口部の上部に設けられたステムを囲んで取付けられるカバーと、前記ステムに嵌着する嵌着部と該嵌着部から側方に延びる吐出筒を有するノズルと、前記ノズルの上方に設けられノズルを下方に押圧可能なレバーとを有するエアゾール容器用吐出ヘッドであって、
前記カバーは、中央に開孔を有する天板部と、該天板部周縁から下方に垂下し前記エアゾール容器の容器口部と係合する嵌合筒部と、該開孔の両側の該天板部上面から上方に突出して形成された一対の突出壁とからなり、
前記天板部の上面と該一対の突出壁により囲まれた凹溝部が形成され、
前記天板部の開孔は、前記カバーを前記容器口部に装着した際に前記ステムが該開孔から凹溝部内に露出するように形成され、
前記レバーは、前記カバーと一体に形成されるとともに、前記突出壁の上部内面側の一端に揺動可能に設けられ、
前記凹溝部の前記開孔より一方の側方には、前記ノズルの嵌着部を挿入・取外し可能な開口部が形成され、
前記レバーの下面および前記ノズルの嵌着部の上面の少なくとも一方には、前記ステムの上下動方向の延長線上で他方と接触し、前記レバー下方に押圧する際に、該方向に沿って前記ノズルに押圧力が作用する形状を有する押圧用突起が設けられ、
前記凹溝部の前記開孔より他方の側方には、前記ノズルの嵌着部が当接するとともに上下動を案内する案内面部が設けられ、
該案内面部は、前記突出壁の内面側に連結し、前記天板部の上面から上方に突出して延びるように設けられ、
前記ノズルの嵌着部には、幅方向の両側方にのみ上方に突出して前記案内面部との上下方向の当接長さを延長する被案内凸部が設けられていることを特徴とするエアゾール容器用吐出ヘッド。
【請求項２】
前記レバーの下面および前記ノズルの嵌着部の上面には、前記ステムの上下動方向の延長線上で互いに接触し、該方向に沿って押圧力が作用する形状を有する押圧用突起が設けられ、
前記レバーの下面に設けられた押圧用突起の前記案内面部側に、押圧傾斜面を有していることを特徴とする請求項１に記載のエアゾール容器用吐出ヘッド。
【請求項３】
前記ノズルの吐出筒の下面には、下方に突出し吐出筒の下方へ移動範囲を制限する脚部が設けられていることを特徴とする請求項１または請求項２に記載のエアゾール容器用吐出ヘッド。
【請求項４】
前記エアゾール容器が、１つの容器に前記ステムを複数有し、あるいは、１つのステムを有するエアゾール容器が複数連結されることで前記ステムを複数有し、
前記カバーが、前記複数のステムを囲んだ上方に取付けられ、
前記ノズルの嵌着部が、１つで前記複数のステムに同時に嵌着するように形成されていることを特徴とする請求項１乃至請求項３のいずれかに記載のエアゾール容器用吐出ヘッド。
【発明の詳細な説明】
【技術分野】
【０００１】
本発明は、エアゾール容器の容器口部の上部に設けられたステムを囲んで取付けられ、ステムを押圧して吐出する内容物を側方に吐出させるノズルを有するエアゾール容器用吐出ヘッドに関し、特に、複数のステムからの吐出される内容物を同時に側方に吐出させるノズルを有するエアゾール容器用吐出ヘッドに関する。
【背景技術】
【０００２】
エアゾール容器の内容物は、ステムを下方に押圧することでステムの先端から吐出するように構成されており、内容物を側方に吐出させるために、側方に吐出孔を有するノズルをステムに嵌着し、該ノズルを押圧することでノズルの先端の吐出孔から内容物を吐出させるものが周知である。
ノズルを操作者が直接手指でノズルを下方に押圧するものがよく知られているが、エアゾール容器のステムは、構造上、ある程度弾性的に傾くため、押圧時にステムがわずかに傾き、側方に延びたノズルの先端の吐出孔の位置が不安定になりやすい。
特に、ノズルの側方への長さが長いほど、わずかな傾きでも、大きな位置変化となる。
【０００３】
また、１つのエアゾール容器にステムを複数有し、あるいは、１つのステムを有するエアゾール容器が複数連結され、異なる内容物を同時に吐出させるものが公知であり、この場合、複数のノズルに嵌着可能な１つのノズルを用いて同時に内容物を側方に吐出するように構成される。
複数のステムに対して１つのノズルを用いる場合は、ノズルの先端の吐出孔の位置を安定化することに加え、複数の内容物の吐出量の比を均一にするために複数のステムを均等に押圧することが求められ、このためにも、ノズルが傾くことなく正確に下方に押圧される機構が必要となる。
【０００４】
このような機構として、エアゾール容器用吐出ヘッドを、ノズルの上方に、エアゾール容器に対して相対位置が固定された支点を有するレバーを設け、当該レバーを操作者が手指で押圧することでノズルの下方への押圧動作を安定化し、ステムの傾きを防止しつつ複数のステムを均等に押圧するように構成したものが公知である（例えば、特許文献１、２等参照。）。
【先行技術文献】
【特許文献】
【０００５】
【特許文献１】特許第３９１５０６５号公報（全頁、全図）
【特許文献２】特許第３９７７９５４号公報（全頁、全図）
【発明の概要】
【発明が解決しようとする課題】
【０００６】
上記特許文献１に記載されたような公知のエアゾール容器用吐出ヘッドにおいては、カバー部材２０に、ノズル付き押し下げ部材３０を多方向からガイドして下方への押圧動作を安定化する嵌合部が形成されている。
また、上記特許文献２に記載されたような公知のエアゾール容器用吐出ヘッドにおいては、ヘッド本体１０に、あるいは操作部３０を組み合わせて、ノズル２０を多方向からガイドして下方への押圧動作を安定化するための嵌合部が形成されている。
しかしながら、これら公知のエアゾール容器用吐出ヘッドは、個々の部品の形状が複雑であり、部品数も多く、かつ、組立時の作業工数も多くなるため、製造にかかる時間、コストが増大するという問題があった。
また、組立てられた後は、使用者によるノズルの取付け、取外しが困難であり、ノズルが汚染した際の清掃やメンテナンス作業に手間がかかるという問題があった。
【０００７】
そこで本発明は、前述したような公知のエアゾール容器用吐出ヘッドの問題を解決するものであって、ノズルの下方への押圧動作を安定化し、ステムの傾きを防止しつつ複数のステムがある場合でも均等に押圧できるとともに、簡単な構成で、部品点数が少なく、製造や組立の作業工数も少なく、さらに、ノズルの取付け・取外しが容易でノズルが汚染した際にも清掃やメンテナンスの作業が簡単に行なえるエアゾール容器用吐出ヘッドを提供することを目的とする。
【課題を解決するための手段】
【０００８】
本請求項１に係る発明は、エアゾール容器の容器口部の上部に設けられたステムを囲んで取付けられるカバーと、前記ステムに嵌着する嵌着部と該嵌着部から側方に延びる吐出筒を有するノズルと、前記ノズルの上方に設けられノズルを下方に押圧可能なレバーとを有するエアゾール容器用吐出ヘッドであって、前記カバーは、中央に開孔を有する天板部と、該天板部周縁から下方に垂下し前記エアゾール容器の容器口部と係合する嵌合筒部と、該開孔の両側の該天板部上面から上方に突出して形成された一対の突出壁とからなり、前記天板部の上面と該一対の突出壁により囲まれた凹溝部が形成され、前記天板部の開孔は、前記カバーを前記容器口部に装着した際に前記ステムが該開孔から凹溝部内に露出するように形成され、前記レバーは、前記カバーと一体に形成されるとともに、前記突出壁の上部内面側の一端に揺動可能に設けられ、前記凹溝部の前記開孔より一方の側方には、前記ノズルの嵌着部を挿入・取外し可能な開口部が形成され、前記レバーの下面および前記ノズルの嵌着部の上面の少なくとも一方には、前記ステムの上下動方向の延長線上で他方と接触し、前記レバー下方に押圧する際に、該方向に沿って前記ノズルに押圧力が作用する形状を有する押圧用突起が設けられ、前記凹溝部の前記開孔より他方の側方には、前記ノズルの嵌着部が当接するとともに上下動を案内する案内面部が設けられ、該案内面部は、前記突出壁の内面側に連結し、前記天板部の上面から上方に突出して延びるように設けられ、前記ノズルの嵌着部には、幅方向の両側方にのみ上方に突出して前記案内面部との上下方向の当接長さを延長する被案内凸部が設けられていることにより、前記課題を解決するものである。
【０００９】
本請求項２に係る発明は、請求項１に記載されたエアゾール容器用吐出ヘッドの構成に加えて、前記レバーの下面および前記ノズルの嵌着部の上面には、前記ステムの上下動方向の延長線上で互いに接触し、該方向に沿って押圧力が作用する形状を有する押圧用突起が設けられ、前記レバーの下面に設けられた押圧用突起の前記案内面部側に傾斜面を有していることにより、前記課題を解決するものである。
本請求項３に係る発明は、請求項１または請求項２に記載されたエアゾール容器用吐出ヘッドの構成に加えて、前記ノズルの吐出筒の下面には、下方に突出し吐出筒の下方へ移動範囲を制限する脚部が設けられていることにより、前記課題を解決するものである。
本請求項４に係る発明は、請求項１乃至請求項３のいずれかに記載されたエアゾール容器用吐出ヘッドの構成に加えて、前記エアゾール容器が、１つの容器に前記ステムを複数有し、あるいは、１つのステムを有するエアゾール容器が、複数連結されることで前記ステムを複数有し、前記カバーが、前記複数のステムを囲んだ上方に取付けられ、前記ノズルの嵌着部が、１つで前記複数のステムに同時に嵌着するように形成されていることにより、前記課題を解決するものである。
【発明の効果】
【００１０】
本請求項１に係る発明のエアゾール容器用吐出ヘッドによれば、ステムが露出する凹溝部の一方の側方からノズルの嵌着部を挿入・取外し可能とし、他方に設けられた案内面部に当接するように構成されているため、組立時の作業工数が少なく、製造にかかる時間、コストが低減される。
また、一対の突出壁と案内面部がノズルの嵌着部の上下動を３方から案内するため、部品の形状を簡単にしつつ、ノズルの案内面方向への傾きが規制され、ノズルの下方への押圧動作を安定化し、ステムの傾きを防止しつつ複数のステムがある場合でも均等に押圧できる。
また、押圧用突起を設けることで、レバーの下面とノズルの嵌着部との接触点と押圧方向を最適化することが可能となり、ノズルが上下動する際に案内面部から離間することを防止し、ノズルの下方への押圧動作をさらに安定化し、ステムの傾きを防止しつつ複数のステムがある場合でも均等に押圧できる。
さらに、ノズルの取付け・取外しが容易となり、ノズルが汚染した際にも清掃や交換、メンテナンス等の作業を簡単に行なうことができるとともに、ノズルの吐出筒の長さが容器の外周より外まで延びるように設計された場合でも、使用後には容易にノズルを取外してコンパクトに保管することが可能となる。
【００１１】
また、レバーがカバーと一体に形成されていることにより、部品点数を少なくすることができ組立時の作業工数が少なくなり、製造にかかる時間、コストが低減されるとともに、分解時にもノズルのみを独立して取り扱うことが可能となる。
さらに、ノズルの嵌着部には、幅方向の両側方にのみ上方に突出して案内面部との上下方向の当接長さを延長する被案内凸部が設けられていることにより、ノズルを大型化したり複雑な形状としたりレバーと干渉することなく、案内面部との当接長さを延長することができ、ノズルの下方への押圧動作をさらに安定化し、ステムの傾きを防止しつつ複数のステムがある場合でも均等に押圧できる。
本請求項２に記載の構成によれば、レバーの下面に設けられた押圧用突起でノズルの嵌着部の上面に設けられた押圧用突起を押圧した際に、傾斜面によって押圧することでノズルの嵌着部が案内面部に押し当てられる方向の力が発生するように設定できるため、さらにノズルが上下動する際に案内面部から離間することが防止される。
本請求項３に記載の構成によれば、万一ステムが傾斜してノズルの吐出筒の先端側が下方に向いても、最下方まで押圧した際には、脚部が下方のカバーあるいは容器に当接することで位置決めして傾斜のない状態とすることができる。
また、ノズルの吐出筒の先端部を下方に押圧することで、脚部が下方のカバーあるいは容器に当接して梃子の支点となって、ステムに嵌着したノズルの嵌着部を容易に上方に外すことができるため、ノズルの取外しが容易となり、ノズルが汚染した際にも清掃や交換、メンテナンス等の作業を簡単に行なうことができる。
本請求項４に記載の構成によれば、ステムの傾きを防止し、ノズルの上下動を安定化することで複数のステムを均等に押圧でき、複数のステムからの吐出量の割合を安定化することができる。
【図面の簡単な説明】
【００１２】
【図１】本発明の実施例であるエアゾール容器用吐出ヘッドの斜視図。
【図２】図１の背面上方からの斜視図。
【図３】本発明の実施例であるエアゾール容器用吐出ヘッドの側方からの断面図。
【図４】図１のノズルを取外した斜視図。
【図５】カバーの斜視図。
【図６】カバーの（ａ）平面図、（ｂ）正面図、（ｃ）側面図。
【図７】カバーの（ａ）側面図、（ｂ）背面図、（ｃ）底面図。
【図８】ノズルの（ａ）平面図、（ｂ）正面図、（ｃ）側面図。
【図９】ノズルの（ａ）側面図、（ｂ）底面図、（ｃ）背面図。
【図１０】エアゾール容器用吐出ヘッドのノズル押圧時の側面断面図。
【図１１】ノズルとステムの取外し・取付け途中の側面断面図。
【図１２】ノズルとカバーの取外し・取付け途中の側面断面図。
【図１３】ノズルを完全に取外した状態の側面断面図。
【図１４】連結棒に結合されて一体成型されたノズルの平面図。
【発明を実施するための形態】
【実施例】
【００１３】
以下に、本発明の実施例であるエアゾール容器用吐出ヘッド１００の構成および動作について、図面に基づいて説明する。
本発明の実施例であるエアゾール容器用吐出ヘッド１００は、図１乃至図３に示すように、エアゾール容器１０１の上方で容器口部１０３の上部に設けられたステム１０２を囲んで取付けられるカバー１３０と、前記ステム１０２に嵌着する嵌着部１１１と該嵌着部１１１から側方に延びる吐出筒１１２を有するノズル１１０と、前記ノズル１１０の上方に設けられノズル１１０を下方に押圧可能なレバー１４０とを有している。
【００１４】
カバー１３０は、図１乃至図７に示すように、中央に開孔１３２を有する天板部１３１と、該天板部１３１の周縁から下方に垂下しエアゾール容器１０１の容器口部１０３と係合する嵌合筒部１３３と、該開孔１３２の両側の天板部１３１上面から上方に突出して形成された一対の突出壁１３４とを有している。
天板部１３１の上面と該一対の突出壁１３４によって囲まれた凹溝部１３５が形成され、天板部１３１の開孔１３２は、カバー１３０を容器口部１０３に装着した際にステム１０２が該開孔１３２から凹溝部１３５内に露出するように形成されている。
【００１５】
凹溝部１３５の開孔１３２より一方の側方（図３の左方向）には、ノズル１１０の嵌着部１１１を挿入・取外し可能な開口部１３６が形成され、凹溝部１３５の開孔１３２より他方の側方（図３の右方向）には、前記ノズル１１０の嵌着部１１１が当接するとともに上下動を案内する案内面部１３７が設けられている。
該案内面部１３７は、天板部１３１の上面から上方に突出して延びるように設けられており、本実施例では、凹溝部１３５の対向する突出壁１３４の内面側に連結し、天板部１３１の上面から上方に突出して延び、両突出壁１３４付近にのみ設けられて２本の柱状に形成されている。即ち、一対の案内面部１３７は、天板部１３１の上面と突出壁１３４との両方に連結されているため、安定な案内面として、またノズル１１０挿入時の安定なガイド部としての機能を果たすことができる。この案内面部１３７は、凹溝部１３５全体に連続する１つの壁状に形成しても良い。即ち、両突出壁１３４の内面側を連結するように形成して、案内面部１３７を１つの壁状に設けた場合には、案内面部１３７の強度と共にカバー１３０の強度を更に確保することができるが、強度的に問題がなければ、本実施例のように２本の柱状に形成することで、材料を節約してコストをさらに低減することができる。
なお、本実施例では、カバー１３０は、容器口部１０３に装着した際に、開口部１３６および凹溝部１３５を除いて円筒状のエアゾール容器１０１の外形と連続する円筒状の外観とするため、天板部１３１周縁の延長部から下方に延びる外壁部１３８も一体に成形されている。
【００１６】
レバー１４０は、図１乃至図７に示すように、突出壁１３４の上部内面側の一端に揺動可能に設けられている。
レバー１４０はカバー１３０と一体に形成されており、レバー１４０の一端側の固定部１４４が一対の突出壁１３４と一体に連結され、固定部１４４の開口部１３６と反対側（カバー１３０の案内面部１３７側：図３の右方向）に設けられた薄肉のヒンジ部１４３を介して弾性変形可能に連結されている。従って、レバー１４０はカバー１３０に対して上下方向に揺動可能に形成されている。
このことで、エアゾール容器用吐出ヘッド１００の部品点数を少なくすることができ組立時の作業工数が少なくなり、製造にかかる時間、コストが低減される。
レバー１４０の下面には、後述するノズル１１０を押圧する押圧用突起１４１が設けられており、該押圧用突起１４１の頂点から揺動端側（カバー１３０の案内面部１３７側：図３の右方向）に向けて押圧傾斜面１４２が形成されている。
押圧用突起１４１は、後述するノズル１１０の２つの押圧用突起１１４の間隔以上の幅に形成されている。
【００１７】
ノズル１１０は、図１乃至図４、図８および図９に示すように、エアゾール容器１０１の容器口部１０３の上部に設けられたステム１０２に嵌着するステム嵌着孔１１７が下面に設けられた嵌着部１１１と、該嵌着部１１１から側方に延びステム嵌着孔１１７から先端まで連通する吐出導孔１１８が内部に設けられた吐出筒１１２とを有している。
嵌着部１１１の幅方向の寸法は、前述したカバー１３０の凹溝部１３５の対向する突出壁１３４の間隔と略同一に形成され、上下方向の厚み寸法は、必要な吐出量を確保できるステム嵌着孔１１７と吐出導孔１１８を設けることができる最低限の厚みに形成されている。
ステム嵌着孔１１７および吐出導孔１１８は、本実施例では、エアゾール容器１０１が２つのステム１０２を有するため、それぞれ２つ設けられている。
【００１８】
嵌着部１１１の上面には、頂点近傍がＲ形状に形成された押圧用突起１１４が設けられており、また、嵌着部１１１の前述したカバー１３０の案内面部１３７と当接する面の上方には被案内凸部１１３が設けられている。
押圧用突起１１４には、その頂点から吐出筒１１２の反対側（カバー１３０の案内面部１３７側：図３の右方向）に向けて挿入傾斜面１１５が形成されている。
押圧用突起１１４も、本実施例では、エアゾール容器１０１が２つのステム１０２を有するため、ステム１０２の位置に対応して２つ設けられている。
また、被案内凸部１１３も、カバー１３０の案内面部１３７が凹溝部１３５の対向する突出壁１３４の内面側からそれぞれ突出して天板部の上面から上方に延びた２本の柱状に形成されているため、案内面部１３７に対応して幅方向両端部にそれぞれ設けられている。
吐出筒１１２の下面には、脚部１１６が設けられている。
【００１９】
以上のように構成された本発明の実施例であるエアゾール容器用吐出ヘッド１００の内容物の吐出に関する動作および作用について、図３および図１０に基づいて説明する。
図３に示すように、カバー１３０がエアゾール容器１０１の容器口部１０３に嵌着され、ノズル１１０の嵌着部１１１がカバー１３０の凹溝部１３５内でステム１０２に嵌着された状態で、嵌着部１１１の端面および被案内凸部１１３は、カバー１３０の案内面部１３７に上下方向全面で当接している。
そして、嵌着部１１１の上部の押圧用突起１１４は、ステム１０２の上下動方向の線状に位置し、その頂点がレバー１４０の押圧用突起１４１を上方向に少し押し上げている。
この時、嵌着部１１１の押圧用突起１１４の頂点は、レバー１４０の押圧用突起１４１の頂点より揺動端側に設けられた押圧傾斜面１４２に当接している。
また、ノズル１１０の吐出筒１１２の下面に設けられた脚部１１６の下端部と、カバー１３０の天板部１３１との間に、ステム１０２の押し下げストローク相当分の間隔が設けられている。
【００２０】
この状態からレバー１４０を下方に押し下げると、レバー１４０はヒンジ部１４３が弾性変形することによって、ヒンジ部１４３を中心に下方に揺動し、押圧用突起１４１の頂点より揺動端側に設けられた押圧傾斜面１４２が嵌着部１１１の押圧用突起１１４を下方に押圧してステム１０２が押し下げられ、エアゾール容器１０１の内容物がノズル１１０の吐出導孔１１８を通って吐出筒１１２の先端から吐出される。
この時、レバー１４０の押圧傾斜面１４２の角度を、嵌着部１１１の押圧用突起１１４を押し下げる際に常に吐出筒１１２と反対方向の分力が発生するように設定する、すなわち、ステム１０２の押し下げ方向を鉛直とした時、押し下げストローク全域でレバー１４０の押圧傾斜面１４２の傾斜が水平をまたいで変化しないように設定することで、ノズル１１０の嵌着部１１１の端面および被案内凸部１１３が、常にカバー１３０の案内面部１３７に当接して上下方向に正確に案内され、吐出筒１１２が下方に傾斜することがない。
また、吐出筒１１２の下面に設けられた脚部１１６が、ステム１０２の押し下げストロークの最下端でカバー１３０の天板部１３１に当接するため、使用者が押し下げストロークを正確に感知できるとともに、万一、押し下げ動作途中で吐出筒１１２の先端が下方に傾斜しても、押し下げストロークの最下端では脚部１１６が天板部１３１に当接して傾斜のない状態に修正される。
【００２１】
ノズル１１０の幅方向（図３、図１０における紙面裏表方向）については、幅方向に２つある嵌着部１１１の押圧用突起１１４の頂点が、レバー１４０により同時に押し下げられることにより傾斜することはない。
さらに、嵌着部１１１の幅方向寸法をカバー１３０の凹溝部１３５の対向する突出壁１３４の間隔と略同一に形成することで、嵌着部１１１および被案内凸部１１３の側面が突出壁１３４に案内されて、幅方向の傾斜も確実に防止される。
また、例えば、ステム１０２が１つのみのエアゾール容器１０１に適用した場合、嵌着部１１１の押圧用突起１１４もステム１０２に対応する位置に１つだけ設けることとなるが、嵌着部１１１および被案内凸部１１３の側面が突出壁１３４に案内されることで、幅方向に傾斜を防止することが可能となる。
【００２２】
次に、本発明の実施例であるエアゾール容器用吐出ヘッド１００のノズル１１０の取付け・取外しに関する動作および作用について図３および図１１乃至図１３に基づいて説明する。
まず、取外しの際は、図３の状態から、ノズル１１０の吐出筒１１２の先端を下方に押し下げることで脚部１１６がカバー１３０の天板部１３１に当接し、さらに押し下げることで、図１１に示すように、該当接点が支点となってノズル１１０の嵌着部１１１が上方に持ち上げられ、ステム嵌着孔１１７がステム１０２から離脱する。
この時、レバー１４０の押圧用突起１４１も、嵌着部１１１の上面の押圧用突起１１４によって上方に押し上げられ、レバー１４０はヒンジ部１４３を中心に上方に揺動する。
なお、嵌着部１１１の上面の被案内凸部１１３は、幅方向の両側方にのみ設けられているため、レバー１４０とは干渉しない。
【００２３】
そして、図１２に示すように、ステム嵌着孔１１７がステム１０２から完全に離脱させた後、ノズル１１０を開口部１３６側から引き抜くことでノズル１１０の取外しが完了し、図１３に示すように、ノズル１１０のみを独立して取り扱うことが可能となる。
これらの取外し作業は、ノズル１１０の吐出筒１１２を手指でつかむのみ、あるいは、レバー１４０をヒンジ部１４３の弾性に抗して上方に押し上げる補助動作を加えることで、極めて簡単に行なうことが可能である。
【００２４】
ノズル１１０を取付ける際は、図１３に示す状態から、ノズル１１０の嵌着部１１１をカバー１３０の凹溝部１３５の開口部１３６に向けて挿入し、図１２に示すように、嵌着部１１１がステム１０２を乗り越えるように傾斜させてさらに奥に挿入する。
そして、嵌着部１１１のステム嵌着孔１１７がステム１０２の上方に位置するまで挿入した後、ステム嵌着孔１１７にステム１０２を嵌着させるべく、嵌着部１１１を下方に押圧する。
この挿入時に、図１１に示すように、嵌着部１１１の上面の押圧用突起１１４によってレバー１４０の押圧用突起１４１が押し上げられるが、本実施例では、押圧用突起１１４の頂点から吐出筒１１２の反対側に向けて挿入傾斜面１１５が設けられ、また、レバー１４０の押圧用突起１４１の開口部１３６側も傾斜面に形成されているため、挿入方向の力のみ、あるいは軽くレバー１４０を押し上げる補助動作を加えることで、簡単に挿入することができる。この実施例では、押圧用突起１１４と１４１の両方に傾斜面を設けたが、何れか一方に傾斜面を設けても同様の効果が得られる。
【００２５】
挿入時のステム嵌着孔１１７とステム１０２の位置合わせについては、ステム嵌着孔１１７の開放側端縁１１９をテーパー状とし、嵌着部１１１が案内面部１３７に当接した位置でステム嵌着孔１１７とステム１０２が嵌合可能とすることで、作業者が容易に挿入位置を決めることができる。
そして、嵌着部１１１を下方に押圧してステム嵌着孔１１７とステム１０２を嵌着させる際には、図１１に示すように、脚部１１６をカバー１３０の天板部１３１に当接させることにより、該当接点を支点としてノズル１１０の吐出筒１１２を上方に押し上げて嵌着部１１１を容易に下方に押し下げることができ、ステム嵌着孔１１７にステム１０２を確実に嵌着させることができる。
【００２６】
本発明の実施例であるエアゾール容器用吐出ヘッド１００に用いられるノズル１１０は容易に交換可能であることから、同一のノズルを交換用として準備したり、ノズルを取り付けていない状態で別部品として準備して流通、保管、販売を行い使用時に取付ける使用形態が考えられる。
このような使用形態の場合、図１４に示すように、複数の（図示では３つの）ノズル２１０を、容易に破断可能なブリッジ２２１によって連結棒２２０に結合して一体に形成することで、想定される使用回数分のノズル２１０を紛失することなく保管可能となる。
また、連結棒２２０の少なくとも一方の端部２２２を、吐出筒２１２の先端から吐出孔内を清掃できるように吐出孔の形状に対応した形状に形成することにより、ノズルを交換せずに清掃のみ行って使用する場合であっても、清掃用具を別途準備する必要がなく、メンテナンスの作業が容易となる。
このことで、例えば、内容物が吐出後に固まったり変質しやすい場合、１回の使用ごとにノズル２１０を交換することが可能であり、また、１回の使用が少量でノズル２１０の数が不足する場合には、連結棒２２０の端部２２２で清掃して１つのノズル２１０を複数回使用することも可能となる。
さらに、ノズル２１０の吐出筒２１２の長さがエアゾール容器１０１の外周より外まで延びるように設計された場合でも、未使用のエアゾール容器用吐出ヘッド１００にはノズルを取付けていない状態として、上記ノズル２１０を添付しておくことで、使用前の流通、保管、販売時の取り扱いを容易とすることができる。
【産業上の利用可能性】
【００２７】
本発明のエアゾール容器用吐出ヘッドは、実施例では、１つの容器に２つのステムを有するエアゾール容器に用いたものであるが、当然に一般的な１つのステムを有するエアゾール容器や、１つのステムを有する容器を連結して複数のステムとしたエアゾール容器等、様々な形態に合わせて、本発明の技術的特徴を用いて具体的形態を設計することが可能であり、容器の外形、ステムの数・間隔等に合わせて、適宜の変形が可能である。
特に、１つのノズルで複数のステムから吐出される内容物を、ノズル先端の位置、吐出量の割合等を正確に制御して吐出することが可能となるため、複数のステムを有するエアゾール容器用吐出ヘッドとして好適に利用できる。
【符号の説明】
【００２８】
１００          ・・・エアゾール容器用吐出ヘッド
１０１          ・・・エアゾール容器
１０２          ・・・ステム
１０３          ・・・容器口部
１１０、２１０  ・・・ノズル
１１１          ・・・嵌着部
１１２、２１２  ・・・吐出筒
１１３          ・・・被案内凸部
１１４          ・・・押圧用突起
１１５          ・・・挿入傾斜面
１１６          ・・・脚部
１１７          ・・・ステム嵌着孔
１１８          ・・・吐出導孔
１１９          ・・・開放側端縁
２２０  ・・・連結棒
２２１  ・・・ブリッジ
２２２  ・・・端部
１３０          ・・・カバー
１３１          ・・・天板部
１３２          ・・・開孔
１３３          ・・・嵌合筒部
１３４          ・・・突出壁
１３５          ・・・凹溝部
１３６          ・・・開口部
１３７          ・・・案内面部
１３８          ・・・外壁部
１４０          ・・・レバー
１４１          ・・・押圧用突起
１４２          ・・・押圧傾斜面
１４３          ・・・ヒンジ部
１４４          ・・・固定部
【図１】
0005804627.tif 000002
【図２】
0005804627.tif 000003
【図３】
0005804627.tif 000004
【図４】
0005804627.tif 000005
【図５】
0005804627.tif 000006
【図６】
0005804627.tif 000007
【図７】
0005804627.tif 000008
【図８】
0005804627.tif 000009
【図９】
0005804627.tif 000010
【図１０】
0005804627.tif 000011
【図１１】
0005804627.tif 000012
【図１２】
0005804627.tif 000013
【図１３】
0005804627.tif 000014
【図１４】
0005804627.tif 000015